(57)【要約】【課題】本発明は、無線伝送セットトップボックスを提供する。【解決手段】ボックス、複数の電子回路基板、電源装置と断熱モジュールを備えてなり、該ボックスは、外部携帯通信装置に供するための接続セクションを備えてなり、ボックス内に設けられる複数の電子回路基板は、複数の電子回路ユニットと無線伝送モジュールを備えてなり、無線で信号をディスプレイへ転送し、携帯通信装置の制御信号を表示するように設けられており、複数の電子回路基板は、携帯通信装置に接続する通信用電子回路基板、充放電回路基板と信号制御回路基板を備えてなり、そして、信号制御回路基板には、信号転換チップが設けられており、電源装置は、ボックスにあり、電子回路基板に接続し、電源装置は、断熱モジュールと無線伝送モジュールの動作に電気を供給することになり、断熱モジュールは、ボックスにあり、電源装置に接続していることを特徴とする無線伝送セットトップボックスである。  【選択図】図２
2013175953.tif 000002
【特許請求の範囲】
【請求項１】
携帯通信装置を外部に接続するのに供する接続セクションを備えてなるボックスが備わり、
該ボックス内にある複数の電子回路基板が備わり、該電子回路基板は、複数の電子回路ユニットと一つの無線伝送モジュールを備えてなり、信号を無線で外部ディスプレイに転送、該外部携帯通信装置の制御信号を表示するように設けられているが、
該ボックスにあり、該電子回路基板に接続する電源装置が備わり、及び、
該ボックスにあり、該電源装置に接続する断熱モジュールが備えてなることを特徴とする無線伝送セットトップボックス。
【請求項２】
前記電子回路基板に接続する充電ポートが設けられていることを特徴とする請求項１に記載の無線伝送セットトップボックス。
【請求項３】
前記電子回路基板に接続する複数の表示灯が設けられていることを特徴とする請求項１に記載の無線伝送セットトップボックス。
【請求項４】
前記電子回路基板に接続するスイッチことを特徴とする請求項１に記載の無線伝送セットトップボックス。
【請求項５】
前記電子回路基板は、更に、該ボックスの該接続セクションに設けられる接続ポートを備えてなるものであることを特徴とする請求項１に記載の無線伝送セットトップボックス。
【請求項６】
前記電子回路基板は、該外部携帯通信装置に接続する通信用電子回路基板、充放電回路基板と信号制御回路基板を備えてなることを特徴とする請求項１に記載の無線伝送セットトップボックス。
【請求項７】
前記信号制御回路基板には、信号転換チップが設けられていることを特徴とする請求項６に記載の無線伝送セットトップボックス。
【発明の詳細な説明】
【技術分野】
【０００１】
本発明は、無線伝送セットトップボックスに関わり、特に、無線伝送携帯通信装置の制御信号をディスプレイへ送り、高画質画面を形成するのに用いられる無線伝送セットトップボックスに関する。
【背景技術】
【０００２】
一般的な有線タイプの高解像度マルチメディアインターフェース（Ｈｉｇｈ  Ｄｅｆｉｎｉｔｉｏｎ  Ｍｕｌｔｉｍｅｄｉａ  Ｉｎｔｅｒｆａｃｅ，  ＨＤＭＩ）、または各種の携帯通信装置などの製品は、ケーブルを利用して使用されているため、比較的に使いにくく、また、有線で接続、使用している時、スペースがかかり、伝送距離にも、例えば、液晶テレビ、ＬＣＤディスプレイのＨＤＭＩケーブルの長さは５〜１０メートルまでしかないなど、多くの制限があった。
【０００３】
また、転送速度や、画面に表示される画質は、距離により影響され、従来のセットトップボックスは、解像度７２０ＰをＷＩＦＩ２．４ＧＨＺで転送するのに遅延する状況があり、それらを関連業者が改良すべき余地がある。
【０００４】
上記問題点に鑑みて、本発明の発明者は、その解決策を積極的に求め、無線伝送セットトップボックスに携わっている長年の積み重なった専門知識と経験を持って、数々の実験、試作と改良を繰り返して、上述した不十分な所を改良したうえ、本発明の“無線伝送セットトップボックス”を開発し、業界に広く使用され、産業競争力と付加価値を向上させることができる。
【発明の開示】
【発明が解決しようとする課題】
【０００５】
本発明は、無線伝送セットトップボックスを提供することを目的とする。
【課題を解決するための手段】
【０００６】
本発明の無線伝送セットトップボックスボックスは、複数の電子回路基板、電源装置と断熱モジュールを備えてなり、該ボックスは、外部携帯通信装置に供するための接続セクションを備えてなり、ボックス内に設けられる複数の電子回路基板は、複数の電子回路ユニットと無線伝送モジュールを備えてなり、無線で信号をディスプレイへ転送し、携帯通信装置の制御信号を表示するように設けられており、複数の電子回路基板は、携帯通信装置に接続する通信用電子回路基板、充放電回路基板と信号制御回路基板を備えてなり、そして、信号制御回路基板には、信号転換チップが設けられており、電源装置はボックスにあり、電子回路基板に接続し、電源装置は断熱モジュールと無線伝送モジュールの動作に電気を供給することになり、断熱モジュールはボックスにあり、電源装置に接続していることを特徴とする。
【０００７】
それにより、無線伝送セットトップボックスは、携帯通信装置と接続し、使用しているとき、無線伝送セットトップボックスの無線伝送モジュールを通じて、携帯通信装置の制御信号を無線でディスプレイへ転送され、使用者の携帯通信装置で直接に操作した制御信号がディスプレイに表示されることになり、そこで、インターネット閲覧、フィルム観賞やゲームなどの表示画面は、高画質画面で視聴できるようになり、表示画面が小さくて、目が疲れたり、近眼になったりすることを避けられる。ただし、上述した内容は、本発明を説明するために挙げた例であり、それに限らないものとする。
【０００８】
ところが、上述したのは、本発明の特徴を簡単に説明するための内容のみで、本明細書を読む専門者が、本発明の技術手段をより理解させるために、次に、図面を参照しながら、具体的な実施例を取り上げて、詳しく説明するが、そこで、本明細書の内容に基づき実施し、本発明の各機能や特徴が理解されると思われる。
【図面の簡単な説明】
【０００９】
【図１】本発明の立体外観図である。
【図２】本発明の分解図である。
【図３】本発明のブロック図である。
【発明を実施するための形態】
【００１０】
本発明に関する上述した内容、及びその他の目的やメリットは、次のような実施例に関する詳しい説明と図面から理解されると思われ、もちろん、本発明のほかの実施、または他の実施の配置は異なりがあってもよいが、ここで取り上げた実施例は、本明細書に詳しく説明し、その構造を図面に表示するものであり、本発明は、本明細書に述べられた内容に限らないものとする。
【００１１】
本発明の好適な実施例として、図１に示すように、図中に掲示した内容は、本発明の実施例を説明するために用いられるのみであり、特許請求の際、その構造に限らないものとすることをここに申し上げておく。
【００１２】
本発明は、ボックス１１、複数の電子回路基板１２、電源装置１３と断熱モジュール１４を備えてなることを特徴とする無線伝送セットトップボックス１００である。
【００１３】
図２、図３に示すように、本発明のボックス１１のサイズは、ボックス１１を持ち歩きやすくするため、一般の般携帯通信装置２１よりやや大きく設けられてもよいが、ボックス１１の好適なサイズとして、手のひらで遊ぶゲーム機（ＰＳＰ）ぐらいの大きさにしてもよいが、該ボックス１１の形状やサイズは、それに限らない。ボックス１１は、接続セクション１１１を備えてなり、ここでは、スロットに設けられているが、それに限らないものとするが、接続セクション１１１は、携帯通信装置２１（例えば、各種の通信製品など）の位置決めに供し、携帯通信装置２１を外部に接続する機能がある。
【００１４】
複数の電子回路基板１２は、ここで、５枚のＩＣ基板を掲示して説明されているが、その数量は、それに限らないが、複数の電子回路基板１２はボックス１１内に設けられ、複数の電子回路基板１２の上は、配線の設置を行ってもよいが、電子回路基板１２の上は更に、ボックス１１の接続セクション１１１に設けられ、携帯通信装置２１に接続する接続ポート１８を備えてなり、それに、電子回路基板１２の上には、複数の電子回路ユニット１２１（例えば、制御チップ、プロセッサなど）が設けられており、複数の電子回路基板１２は、携帯通信装置２１に接続する通信用電子回路基板１２ａ、充放電回路基板１２ｂと信号制御回路基板１２ｃを備えてなり、信号制御回路基板１２ｂの上に、信号転換チップ１２ｄが設けられている。
【００１５】
複数の電子回路基板１２にはまた更に、無線伝送モジュール１２２が設けられており、該無線伝送モジュール１２２は、無線ホームデジタルインターフェース（Ｗｉｒｅｌｅｓｓ  Ｈｏｍｅ  Ｄｉｇｉｔａｌ  Ｉｎｔｅｒｆａｃｅ，  ＷＨＤＩ）技術を備えてなり、高画質オディオ・ビデオの無線接続基準に適合するもので、この基準による高画質で、無圧縮データ転送の無線接続は、免許不要の周波数帯域５ＧＨｚが利用可能で、周波数帯域４０ＭＨｚ  は、最大３Ｇｂｐｓ（１０８０ｐ／６０Ｈｚを含み）の転送速度で、オディオ・ビデオデータを転送でき、世界の５ＧＨｚ周波数帯域規定に一致し、転送範囲は１００インチ以上、壁を通過することが可能で、遅延時間１ｍｓ以下になり、無線伝送モジュール１２２は、無線で信号を外部ディスプレイ３１に転送、携帯通信装置２１の制御信号を表示するように設けられ、特筆すべきことは、本発明の無線伝送モジュール１２２（ＷＨＤＩ）に発信側ＴＸ１２２ａ、ディスプレイ３１の無線伝送モジュール３２に受信側ＲＸ１２２ｂが設けられていることで、無線伝送セットトップボックス１００は、携帯通信装置２１（例えば、各種の通信製品など）をオディオ・ビデオ信号に転換して、発信側ＴＸ１２２ａから、それを無線でディスプレイ３１の受信側ＲＸ１２２ｂへ送ることになっている。
【００１６】
電源装置１３はここでは、大容量バッテリーで、ボックス１１にあり、電子回路基板１２に接続して、無線伝送セットトップボックス１００に稼動させるように給電することになり、例えば、断熱モジュール１４や無線伝送モジュール１２２の稼動用電気を供給する。
【００１７】
断熱モジュール１４はここで、排気ファンであり、ボックス１１にあり、該電源装置１３に接続しており、断熱モジュール１４により、電子回路基板１２上の関連電子回路ユニット１２１の生じた熱エネルギーを排出することができる。
【００１８】
本発明の無線伝送セットトップボックス１００は更に、電子回路基板１２に接続する充電ポート１５を備えてなり、充電ポート１５の片側はボックス１１の外に露出し、電源ケーブルが接続するように設けられているが、ここでの充電ポート１５はｍｉｃｒｏ  ｕｓｂでもよいが、それに限らない。
【００１９】
本発明の無線伝送セットトップボックス１００は更に、電子回路基板１２に接続する複数の表示灯１６を備えてなり、該複数の表示灯１６は、電源表示灯や充電表示灯でもよく、稼動電力が足りているかを確認し、表示灯の表示により、稼動状況が確認される。
【００２０】
本発明の無線伝送セットトップボックス１００は更に、該電子回路基板１２に接続するスイッチ１７を備えてなり、スイッチ１７の片側がボックス１１の外に露出し、ユーザが手動で、無線伝送セットトップボックス１００のオンまたはオフ（ｏｎ／ｏｆｆ）を制御するようになっている。
【００２１】
本発明の無線伝送セットトップボックス１００は、携帯通信装置２１を直接にボックス１１に内蔵、または携帯通信装置２１をボックス１１の接続セクション１１１に組み立てて、使用の時、無線伝送モジュール１２２（ＷＨＤＩ）の発信側ＴＸ１２２ａから、携帯通信装置２１の制御信号を無線で、ディスプレイ３１にある無線伝送モジュール３２の受信側ＲＸ１２２ｂへ送ることになっており、ディスプレイ３１の無線伝送モジュール３２が該制御信号を受信すると、使用者が携帯通信装置２１で直接に操作した制御信号がディスプレイ３１のスクリーン画面に表示されることになり、例えば、インターネット閲覧、フィルム観賞やゲームなどのような画面表示機能があり、携帯通信装置２１を、無線伝送セットトップボックス１００に接続、結合して、ディスプレイ３１の画面に表示される最高レベルの画質１０８０Ｐについてよく詳しく言えば、無線最大伝送距離１０〜２５メートルが可能で、目が疲れたり、大人や子どもが近眼になったりすることを避けられる。
【００２２】
スマートフォンと本発明の無線伝送セットトップボックスを結合して、より大きなスクリーンと高画質画面で直接に利用できるほかに、携帯通信装置を本発明の無線伝送セットトップボックスに接続して、携帯通信装置で直接に操作するのがより柔軟に行われることになり、それに、無線伝送セットトップボックスを通じて、データを液晶テレビやＬＣＤディスプレイに転送し、携帯通信装置画面での機能が液晶テレビやＬＣＤディスプレイに表示される。
【００２３】
上述した内容をまとめると、本発明はなかなか有り難い製品であり、同カテゴリーの製品で、それに類似した発明や発表もなく、特許出願要件に一致することで、法律の規定により出願するが、ただし、上述したのは、本発明の実行可能な好適な実施例のみであり、本発明の明細書や図式の内容に基づき、それと同等な効果を得られる構造の改造などをしても、すべて本発明の請求範囲に含まれることをここに申し上げておく。
【符号の説明】
【００２４】
１１      ボックス
１２      電子回路基板
１２ａ    通信用電子回路基板
１２ｂ    充放電回路基板
１２ｃ    信号制御回路基板
１２ｄ    信号転換チップ
１３      電源装置
１４      断熱モジュール
１５      充電ポート
１６      表示灯
１７      スイッチ
１８      接続ポート
２１      携帯通信装置
３１      ディスプレイ
３２      無線伝送モジュール
１２１    電子回路ユニット
１００    無線伝送セットトップボックス
１１１    接続セクション
１２２    無線伝送モジュール
１２２ａ  発信側ＴＸ
１２２ｂ  受信側ＲＸ
【図１】
2013175953.tif 000003
【図２】
2013175953.tif 000004
【図３】
2013175953.tif 000005